(57)【要約】【課題】  硬質材料からなる電気光学装置用基板を湾曲させても、電気光学装置用基板あるいはそれに重ねた偏光板などのシート状光学部品などに不具合が発生することのない電気光学装置、電子機器、および電気光学装置の製造方法を提供すること。【解決手段】  電気光学装置１の製造するにあたって、湾曲面２２０を備えたベース２１０上に、第１の偏光板１４０、第１のスペーサ２６０、液晶パネル１００、第２のスペーサ２７０、および第２の偏光板１５０をこの順に重ねて配置した後、第２の偏光板１５０をベース２１０の湾曲面２２０に倣って湾曲させながら、その外周側をベース２１０に向けて押し付け、この状態を、第２の偏光板１５０を両面テープ２８０によってベース２１０に固定することにより保持する。【選択図】    図１
2005134460.tif 000002
【特許請求の範囲】
【請求項１】
硬質材料からなる薄板状の電気光学装置用基板によって電気光学物質が保持された電気光学装置において、
少なくとも、第１の部材、前記電気光学装置用基板、および第２の部材がこの順に重ねて配置され、
前記電気光学装置用基板は、前記第１の部材と前記第２の部材との間で湾曲した状態に配置され、
前記第２の部材は、前記電気光学装置用基板の外周部分を前記第１の部材に向けて押し付けながら当該電気光学用基板よりも外周側で前記第１の部材に固定されて前記電気光学装置用基板を湾曲した状態に拘束していることを特徴とする電気光学装置。
【請求項２】
請求項１において、前記電気光学装置用基板は、ガラス基板あるいは石英基板であることを特徴とする電気光学装置。
【請求項３】
請求項１または２において、前記電気光学装置用基板は、厚さが２５０μｍ以下であることを特徴とする電気光学装置。
【請求項４】
請求項１ないし３のいずれかにおいて、前記電気光学装置用基板に対して前記第１の部材とは反対側には、少なくとも１枚のシート状光学部品が前記電気光学装置用基板に対して重ねて配置され、
当該シート状光学部品のうちの１枚が前記第２の部材として前記電気光学装置用基板より外周側で前記第１の部材に固定されていることを特徴とする電気光学装置。
【請求項５】
請求項１ないし４のいずれかにおいて、前記第１の部材と前記電気光学装置用基板の外周部分との間、および前記電気光学装置用基板の外周部分と前記第２の部材との間のうちの少なくとも一方にスペーサが配置され、
前記電気光学装置用基板は、前記スペーサが配置されている側の面の中央領域が他の部材と面接触することなく、前記第１の部材と前記第２の部材との間で湾曲した状態に拘束されていることを特徴とする電気光学装置。
【請求項６】
請求項５において、前記第１の部材と前記電気光学装置用基板の外周部分との間に前記スペーサとしての第１のスペーサが配置され、前記電気光学装置用基板の外周部分と前記第２の部材との間に前記スペーサとしての第２のスペーサが配置され、
前記電気光学装置用基板は、その両面の中央領域が他の部材と面接触することなく、前記第１の部材と前記第２の部材との間で湾曲した状態に拘束されていることを特徴とする電気光学装置。
【請求項７】
請求項６において、前記第１の部材としての湾曲面を備えたベース、第１の偏光板、前記第１のスペーサ、前記電気光学装置用基板、前記第２のスペーサ、および前記電気光学装置用基板より大面積の第２の偏光板がこの順に重ねて配置され、
前記第１の偏光板は、前記ベースの湾曲面に沿って湾曲した状態に配置され、
前記電気光学装置用基板は、前記第１の偏光板との間に前記第１のスペーサを挟んで湾曲した状態に配置され、
前記第２の偏光板は、前記第２の部材として、前記電気光学装置用基板との間に前記第２のスペーサを挟んで湾曲した状態に配置され、かつ、前記電気光学装置用基板より外周側で前記ベースに固定されていることを特徴とする電気光学装置。
【請求項８】
請求項１ないし４のいずれかにおいて、前記第１の部材としての湾曲面を備えたベース、第１の偏光板、前記電気光学装置用基板、および前記電気光学装置用基板より大面積の第２の偏光板がこの順に重ねて配置され、かつ、前記第１の偏光板と前記電気光学装置用基板との間、および前記電気光学装置用基板と前記第２の偏光板との間のうちの少なくとも一方には凹凸を有するシートが配置され、
前記第２の偏光板は、前記第２の部材として、前記電気光学装置用基板より外周側で前記ベースに固定されて、前記第１の偏光板、前記電気光学装置用基板、および前記凹凸を有するシートを前記湾曲面に倣って湾曲させた状態に拘束していることを特徴とする電気光学装置。
【請求項９】
請求項８において、前記第１の偏光板と前記電気光学装置用基板との間、および前記電気光学装置用基板と前記第２の偏光板との間の各々に前記凹凸を有するシートが配置されていることを特徴とする電気光学装置。
【請求項１０】
請求項７ないし９のいずれかにおいて、前記湾曲面は凸曲面であることを特徴とする電気光学装置。
【請求項１１】
請求項７ないし９のいずれかにおいて、前記湾曲面は凹曲面であることを特徴とする電気光学装置。
【請求項１２】
請求項１ないし１２のいずれかにおいて、前記電気光学装置用基板は、前記電気光学物質としての液晶を間に保持して貼り合わされた２枚が用いられていることを特徴とする電気光学装置。
【請求項１３】
請求項１ないし４のいずれかにおいて、前記電気光学装置用基板は、前記電気光学物質としてエレクトロルミネッセンス材料を保持している特徴とする電気光学装置。
【請求項１４】
請求項１ないし１３のいずれかに規定する電気光学装置を用いたことを特徴とする電子機器。
【請求項１５】
硬質材料からなる薄板状の電気光学装置用基板によって電気光学物質が保持された電気光学装置の製造方法において、
第１の部材と第２の部材との間で前記電気光学装置用基板を湾曲させ、この状態で、当該電気光学用基板よりも外周側で前記第２の部材を前記第１の部材に固定して前記電気光学装置用基板を湾曲した状態に拘束することを特徴とする電気光学装置の製造方法。
【請求項１６】
請求項１５において、前記電気光学装置用基板に対して前記第１の部材とは反対側に、少なくとも１枚のシート状光学部品を前記電気光学装置用基板に対して重ねて配置し、
当該シート状光学部品のうちの１枚を前記第２の部材として前記電気光学装置用基板より外周側で前記第１の部材に固定することを特徴とする電気光学装置の製造方法。
【発明の詳細な説明】
【技術分野】
【０００１】
本発明は、基板上に電気光学物質を保持した電気光学装置、それを用いた電気光学装置、および電気光学装置の製造方法に関するものである。
【背景技術】
【０００２】
液晶装置や有機エレクトロルミネッセンス表示装置などの電気光学装置では、電気光学装置用基板によって電気光学物質が保持されており、当該基板の略中央領域を画像表示領域として各種の画像が表示される。画像表示領域には、縦横に延びた走査線やデータ線の交点に相当する各位置に、画素スイッチング素子や画素電極を備えた画素が多数、マトリクス状に構成される。
【０００３】
電気光学装置については軽量化が望まれており、かかる要求に対応するために、ガラスからなる電気光学装置用基板を薄板化することが提案されている（例えば、特許文献１参照）。
【特許文献１】特開２００３−２４１８０３号公報
【発明の開示】
【発明が解決しようとする課題】
【０００４】
また、電気光学装置を用いた表示装置においては、電気光学装置の表示面を湾曲させた、新たな形態のものが望まれている。
【０００５】
しかしながら、液晶装置などの場合においては、ガラスからなる２枚の電気光学装置用基板を貼り合わせた後、基板間に液晶を注入して液晶パネルを構成し、次に、液晶パネルの表面および裏面に偏光板を接着剤で貼り付け、しかる後に、液晶パネルを湾曲させるため、その時の応力が中央に集中し、偏光板が剥がれるという問題点や偏光板自身の性能低下、さらには、液晶パネルでの基板間隔の変動などといった問題点が発生する。また、応力の加わり方によっては液晶パネルを構成する電気光学装置用基板が割れるという問題点もある。
【０００６】
以上の問題点に鑑みて、硬質材料からなる電気光学装置用基板を湾曲させても、電気光学装置用基板あるいはそれに重ねた偏光板などのシート状光学部品などに不具合が発生することのない電気光学装置、それを用いた電子機器、および電気光学装置の製造方法を提供することにある。
【課題を解決するための手段】
【０００７】
上記課題を解決するために、本発明では、硬質材料からなる薄板状の電気光学装置用基板によって電気光学物質が保持された電気光学装置において、少なくとも、第１の部材、前記電気光学装置用基板、および第２の部材がこの順に重ねて配置され、前記電気光学装置用基板は、前記第１の部材と前記第２の部材との間で湾曲した状態に配置され、前記第２の部材は、前記電気光学装置用基板の外周部分を前記第２の部材に向けて押し付けながら当該電気光学用基板よりも外周側で前記第１の部材に固定されて前記電気光学装置用基板を湾曲した状態に拘束していることを特徴とする。
【０００８】
このような構成の電気光学装置を製造するにあたっては、第１の部材と第２の部材との間で前記電気光学装置用基板を湾曲させ、この状態で、当該電気光学用基板よりも外周側で前記第２の部材を前記第１の部材に固定して前記電気光学装置用基板を湾曲した状態に拘束する。
【０００９】
本発明において、前記電気光学装置用基板は、ガラス基板あるいは石英基板である。
【００１０】
本発明において、前記電気光学装置用基板は、厚さが２５０μｍ以下であり、さらに好ましくは５０μｍ以下である。
【００１１】
本発明において、前記電気光学装置用基板に対して前記第１の部材とは反対側には、少なくとも１枚のシート状光学部品が前記電気光学装置用基板に対して重ねて配置され、当該シート状光学部品のうちの１枚が前記第２の部材として前記電気光学装置用基板より外周側で前記第１の部材に固定されていることが好ましい。
【００１２】
このような構成の電気光学装置を製造するにあたっては、前記電気光学装置用基板に対して前記第１の部材とは反対側には、少なくとも１枚のシート状光学部品を前記電気光学装置用基板に対して重ねて配置し、当該シート状光学部品のうちの１枚を前記第２の部材として前記電気光学装置用基板より外周側で前記第１の部材に固定する。
【００１３】
本発明において、前記第１の部材と前記電気光学装置用基板の外周部分との間、および前記電気光学装置用基板の外周部分と前記第２の部材との間のうちの少なくとも一方にスペーサが配置され、前記電気光学装置用基板は、前記スペーサが配置されている側の面の中央領域が他の部材と面接触することなく、前記第１の部材と前記第２の部材との間で湾曲した状態に拘束されていることが好ましい。電気光学装置用基板と偏光板とを密着させると、ニュートンリング（干渉縞）の発生などといった現象が生じ、画像表示領域の見栄えが悪くなるが、電気光学装置用基板と偏光板との間に隙間を確保しておけば、このような問題を回避できる。
【００１４】
本発明において、前記第１の部材と前記電気光学装置用基板の外周部分との間に前記スペーサとしての第１のスペーサが配置され、前記電気光学装置用基板の外周部分と前記第２の部材との間に前記スペーサとしての第２のスペーサが配置され、前記電気光学装置用基板は、その両面の中央領域が他の部材と面接触することなく、前記第１の部材と前記第２の部材との間で湾曲した状態に拘束されていることが好ましい。
【００１５】
本発明においては、例えば、前記第１の部材としての湾曲面を備えたベース、第１の偏光板、前記第１のスペーサ、前記電気光学装置用基板、前記第２のスペーサ、および前記電気光学装置用基板より大面積の第２の偏光板がこの順に重ねて配置され、前記第１の偏光板は、前記ベースの湾曲面に沿って湾曲した状態に配置され、前記電気光学装置用基板は、前記第１の偏光板との間に前記第１のスペーサを挟んで湾曲した状態に配置され、前記第２の偏光板は、前記第２の部材として、前記電気光学装置用基板との間に前記第２のスペーサを挟んで湾曲した状態に配置され、かつ、前記電気光学装置用基板より外周側で前記ベースに固定されている構成を採用することができる。
【００１６】
本発明において、前記第１の部材としての湾曲面を備えたベース、第１の偏光板、前記電気光学装置用基板、および前記電気光学装置用基板より大面積の第２の偏光板がこの順に重ねて配置され、かつ、前記第１の偏光板と前記電気光学装置用基板との間、および前記電気光学装置用基板と前記第２の偏光板との間のうちの少なくとも一方には凹凸を有するシートが配置され、前記第２の偏光板は、前記第２の部材として、前記電気光学装置用基板より外周側で前記ベースに固定されて、前記第１の偏光板、前記電気光学装置用基板、および前記凹凸を有するシートを前記湾曲面に倣って湾曲させた状態に拘束していることが好ましい。ここで、前記第１の偏光板と前記電気光学装置用基板との間、および前記電気光学装置用基板と前記第２の偏光板との間の各々に前記凹凸を有するシートが配置されていることが好ましい。このように構成すると、偏光板と電気光学装置用基板の間に凹凸を有するシートが配置されているので、ニュートンリングの発生に起因する見栄えの低下を防止することができる。
【００１７】
本発明は、前記湾曲面が凸曲面、あるいは凹曲面のいずれの場合でも適用することができる。
【００１８】
本発明において、前記電気光学装置が液晶装置の場合、前記電気光学装置用基板は、前記電気光学物質としての液晶を間に保持して貼り合わされた２枚が用いられる。
【００１９】
本発明において、前記電気光学装置がエレクトロルミネッセンス装置の場合、前記電気光学装置用基板は、前記電気光学物質としてエレクトロルミネッセンス材料を保持することになる。
【００２０】
本発明に係る電気光学装置は、表示装置などといった電子機器に用いられる。
【発明の効果】
【００２１】
本発明では、第２の部材は、湾曲した状態の電気光学装置用基板の外周部分を第１の部材に向けて押し付けながら電気光学用基板よりも外周側で第１の部材に固定され、電気光学装置用基板を湾曲した状態に拘束する。このため、電気光学装置用基板については、偏光板などいった他の部材と接着固定しなくてよい。従って、電気光学装置用基板を湾曲させる際、画像表示領域として利用される中央部分において、電気光学装置基板から偏光板へ大きな応力が直接、伝わらず、かつ、偏光板から電気光学装置基板へも大きな応力が直接、伝わらない。それ故、電気光学装置基板や偏光板の性能低下や破損などといった不具合が発生しない。
【発明を実施するための最良の形態】
【００２２】
以下、図面を参照して本発明の実施の形態を説明する。
【００２３】
［実施の形態１］
（電気光学装置の基本構成）
図１（Ａ）、（Ｂ）は、本発明を適用した電気光学装置の構成を対向基板の側から見た構成図、および断面構成図である。図２は、電気光学装置の画像表示領域においてマトリクス状に形成された複数の画素における各種素子、配線等の等価回路図である。なお、本形態の説明に用いた各図では、各層や各部材を図面上で認識可能な程度の大きさとするため、各層や各部材毎に縮尺を異ならしめてある。
【００２４】
図１（Ａ）、（Ｂ）において、本形態の電気光学装置１は、透過型あるいは半透過反射型のアクティブマトリクス型の液晶パネル１００を備えており、この液晶パネル１００においては、矩形枠状に塗布されたシール材５２により貼り合わされたＴＦＴアレイ基板１０（電気光学装置用基板）と対向基板２０（電気光学装置用基板）との間には、電気光学物質としての液晶５０が保持されている。また、シール材５２の内側には、シール材５２に沿って、遮光性材料からなる周辺見切り５３が形成されている。本形態において、ＴＦＴアレイ基板１０は、対向基板２０より大きく、対向基板２０からの張り出し領域１２には、多数の端子１４がＴＦＴアレイ基板１０の一辺に沿って形成され、これらの端子１４に対して、駆動用ＩＣ１１０がＣＯＦ実装された可撓性基板１２０が接続されている。なお、駆動用ＩＣ１１０がＣＯＦ実装された可撓性基板１２０の代わりに、データ線駆動回路および走査線駆動回路をＴＦＴアレイ基板１０の上に形成した構成、あるいは駆動用ＩＣ１１０をＴＦＴアレイ基板１０上にＣＯＧ実装することもあるが、いずれの場合にも、ＴＦＴアレイ基板１０の張り出し領域１２に端子が形成される。
【００２５】
ＴＦＴアレイ基板１０には、画素電極９ａがマトリクス状に形成されている。対向基板２０には、ＴＦＴアレイ基板１０の画素電極９ａの縦横の境界領域と対向する領域にブラックマトリクス、あるいはブラックストライプなどと称せられる遮光膜２３が形成され、その上層側には、ＩＴＯ膜からなる対向電極２１が形成されている。なお、電気光学装置１をカラー表示用として構成する場合には、対向基板２０において、ＴＦＴアレイ基板１０の各画素電極（後述する。）に対向する領域にＲＧＢのカラーフィルタをその表面保護膜とともに形成する。
【００２６】
電気光学装置１では、使用する液晶５０の種類、すなわち、ＴＮ（ツイステッドネマティック）モード、ＳＴＮ（スーパーＴＮ）モード等々の動作モードや、ノーマリホワイトモード／ノーマリブラックモードの別に応じて、位相差フィルムや偏光板などが所定の向きに配置されるが、ここでは、第１の偏光板１４０および第２の偏光板１５０のみを表してある。
【００２７】
このような構造を有する電気光学装置１の画像表示領域においては、図２に示すように、複数の画素１００ａがマトリクス状に構成されている。これらの画素１００ａの各々には、画素電極９ａ、およびこの画素電極９を駆動するための画素スイッチング用のＴＦＴ３０（薄膜半導体素子）が形成されており、画素信号Ｓ１、Ｓ２・・・Ｓｎを供給するデータ線６ａが当該ＴＦＴ３０のソースに電気的に接続されている。データ線６ａに書き込む画素信号Ｓ１、Ｓ２・・・Ｓｎは、この順に線順次に供給しても構わないし、相隣接する複数のデータ線６ａ同士に対して、グループ毎に供給するようにしてもよい。また、ＴＦＴ３０のゲートには走査線３ａが電気的に接続されており、所定のタイミングで、走査線３ａにパルス的に走査信号Ｇ１、Ｇ２・・・Ｇｍをこの順に線順次で印加するように構成されている。画素電極９ａは、ＴＦＴ３０のドレインに電気的に接続されており、スイッチング素子であるＴＦＴ３０を一定期間だけそのオン状態とすることにより、データ線６ａから供給される画素信号Ｓ１、Ｓ２・・・Ｓｎを各画素に所定のタイミングで書き込む。このようにして画素電極９ａを介して液晶５０に書き込まれた所定レベルの画素信号Ｓ１、Ｓ２、・・・Ｓｎは、図１（Ｂ）に示す対向基板２０の対向電極２１との間で一定期間保持される。
【００２８】
ここで、液晶５０は、印加される電圧レベルにより分子集合の配向や秩序が変化することにより、光を変調し、階調表示を可能にする。ノーマリーホワイトモードであれば、印加された電圧に応じて入射光がこの液晶５０の部分を通過する光量が低下し、ノーマリーブラックモードであれば、印加された電圧に応じて入射光がこの液晶５０の部分を通過する光量が増大していく。その結果、全体として電気光学装置１からは画素信号Ｓ１、Ｓ２、・・・Ｓｎに応じたコントラストを持つ光が出射される。
【００２９】
なお、保持された画素信号Ｓ１、Ｓ２、・・・Ｓｎがリークするのを防ぐために、画素電極９ａと対向電極２１との間に形成される液晶容量と並列に蓄積容量６０を付加することがある。例えば、画素電極９ａの電圧は、ソース電圧が印加された時間よりも３桁も長い時間だけ蓄積容量６０（薄膜キャパシタ素子）により保持される。これにより、電荷の保持特性は改善され、コントラスト比の高い電気光学装置１が実現できる。なお、蓄積容量６０を形成する方法としては、図５に例示するように、蓄積容量６０を形成するための配線である容量線３ｂとの間に形成する場合、あるいは前段の走査線３ａとの間に形成する場合もいずれであってもよい。
【００３０】
本形態の電気光学装置１において、ＴＦＴアレイ基板１０および対向基板２０はいずれも、厚さが２５０μｍ以下、さらには５０μｍ以下と極めて薄いガラス基板や石英基板（硬質材料）から構成されている。このような薄い基板によって電気光学装置１を構成するにあたって、本形態では、図３（Ａ）、（Ｂ）に示すように、厚さが０．５ｍｍ程度の厚いＴＦＴアレイ基板１０および対向基板２０を用いて電気光学装置１の製造途中品１００′を製造した後、研磨やエッチングにより、ＴＦＴアレイ基板１０および対向基板２０をそれぞれ所定厚、例えば、２５μｍまで薄型化する。なお、電気光学装置１を製造する際、ＴＦＴアレイ基板１０および対向基板２０については、それらを多数取りできる大型の元基板の状態での半導体プロセスによって、各種配線などが形成されるが、研磨やエッチングについては、元基板同士を貼り合わせた状態、あるいは単品サイズの液晶パネル１００のいずれの状態で行ってもよい。
【００３１】
（電気光学装置の詳細構成）
本形態の電気光学装置１においては、液晶パネル１００を構成するＴＦＴアレイ基板１０および対向基板２０がいずれも薄いので、図１（Ａ）、（Ｂ）に示す矢印Ａ１、Ａ２、および矢印Ｂ１、Ｂ２のいずれの方向に撓ませることができる。そこで、例えば、液晶パネル１００を矢印Ｂ１で示す方向に撓ませて、湾曲した表示面を構成した例を図４を参照して説明する。
【００３２】
図４は、本発明の実施の形態１に係る電気光学装置の構成を示す断面図である。
【００３３】
図４に示すように、本形態においては、凸曲面からなる湾曲面２２０を備えたベース２１０（第１の部材）と、厚さが３００〜４００μｍの第１の偏光板１４０と、第１のスペーサ２６０と、ＴＦＴアレイ基板１０および対向基板２０を備えた液晶パネル１００と、第２のスペーサ２７０と、ＴＦＴアレイ基板１０より大面積で、かつ、厚さが３００〜４００μｍの第２の偏光板１５０（第２の部材／シート状光学部品）がこの順に重ねて配置されている。
【００３４】
ここで、第１の偏光板１４０は、ベース２１０の湾曲面２２０に沿って湾曲した状態に配置されている。液晶パネル１００（ＴＦＴアレイ基板１０および対向基板２０）は、その外周側と第１の偏光板１４０との間に第１のスペーサ２６０を挟んで湾曲した状態に配置されている。第２の偏光板１５０は、液晶パネル１００の外周側との間に第２のスペーサ２７０を挟んで湾曲した状態に配置され、かつ、液晶パネル１００より外周側でベース２１０に対して両面テープなどの接着材２８０で固定されている。
【００３５】
このような構成の電気光学装置１を製造するにあたっては、ベース２１０と第２の偏光板１５０との間で液晶パネル１００を湾曲させ、この状態で、液晶パネル１００よりも外周側で第２の偏光板１５０を両面テープ２８０によってベース２１０に固定して液晶パネル１００を湾曲した状態に拘束する。
【００３６】
すなわち、ベース２１０の上に、第１の偏光板１４０、第１のスペーサ２６０、液晶パネル１００、第２のスペーサ２７０、および第２の偏光板１５０をこの順に重ねて配置した後、第２の偏光板１５０をベース２１０の湾曲面２２０に倣って湾曲させながら、その外周側をベース２１０に向けて押し付ける。その結果、第１の偏光板１４０、および液晶パネル１００は、スペーサ２６０、２７０を介してベース２１０の湾曲面２２０に向けて押し付けられて撓んだ状態となり、この状態を、第２の偏光板１５０を両面テープ２８０によってベース２１０に固定することにより保持する。
【００３７】
なお、スペーサ２６０、２７０の位置や第２の偏光板１５０のベース２１０への固定箇所については、液晶パネル１００の湾曲部分を間に挟む両側２箇所を含んでおれば、その全周あるいはその一部であってもよい。
【００３８】
このように構成した電気光学装置１は、偏光板１５０が配置されている側を表示面として画像が表示される。ここで、液晶パネル１００が透過型であれば、図４に矢印Ｌ２で示す、バックライト装置からの光を液晶パネル１００において光変調し、矢印Ｌ１０で示すように、表示光として出射する。さらに、液晶パネル１００が半透過反射型であれば、図４に矢印Ｌ１で示す外光、および図４に矢印Ｌ２で示す、バックライト装置からの光を液晶パネル１００において光変調し、矢印Ｌ１０で示すように、表示光として出射する。従って、これらの場合、ベース２１０としては、光透過性のものを用いることになる。
【００３９】
なお、液晶パネル１００が反射型であれば、図４に矢印Ｌ１で示す外光を液晶パネル１００において光変調し、矢印Ｌ１０で示すように、表示光として出射する。従って、この場合、第１の偏光板１４０は必要ない。また、ベース２１０としては、光透過性のもの、あるいは光透過性を有しないもののいずれを用いてもよい。
【００４０】
（本形態の効果）
以上説明したように、本形態によれば、湾曲した表示面を備えた電気光学装置１を構成するにあたって、液晶パネル１００については、偏光板１４０、１５０などいった他の部材と接着固定しなくても湾曲させることができる。それ故、液晶パネル１００を湾曲させる際、液晶パネル１００と偏光板１４０、１５０との間に逃げ、遊びが確保されているので、画像表示領域として利用される中央部分において、液晶パネル１００から偏光板１４０、１５０へ大きな応力が直接、伝わらず、かつ、偏光板１４０、１５０から液晶パネル１００へも大きな応力が直接、伝わらない。よって、液晶パネル１００において、基板間隔の変動や基板の破損などといった不具合が発生せず、かつ、偏光板１４０、１５０の偏光特性が変動することもない。
【００４１】
また、液晶パネル１００は、スペーサ２６０、２７０の介在によって、その中央領域が他の部材（偏光板１４０、１５０）と面接触することなく、ベース２１０と第２の偏光板１５０との間で湾曲した状態に拘束されている。すなわち、液晶パネル１００の中央領域と偏光板１４０、１５０との間に隙間が確保されているので、ニュートンリングの発生などを防止することができる。
【００４２】
なお、本形態では、液晶パネル１００と偏光板１４０、１５０と間の双方にスペーサ２６０、２７０を配置したが、一方の間に凹凸を有するシートなどが配置されている場合、一方のみにスペーサを配置すればよい。凹凸を有するシートは光を拡散もしくは散乱させる役割を果たす。
【００４３】
［実施の形態２］
図５は、本発明の実施の形態２に係る電気光学装置の構成を示す断面図である。なお、本形態、および後述する実施の形態３、４、５はいずれも、基本的な構成が実施の形態１と同様であるため、共通する機能を有する部分には、同一の符号を付してそれらの説明を省略する。
【００４４】
図５において、本形態の電気光学装置１は、ベース２１０の側が表示面として用いられ、その他の構成は、実施の形態１と同様である。このように構成した電気光学装置１では、液晶パネル１００が透過型であれば、図５に矢印Ｌ２で示す、バックライト装置からの光を液晶パネル１００において光変調し、矢印Ｌ１０で示すように、表示光として出射する。また、液晶パネル１００が半透過反射型であれば、図５に矢印Ｌ１で示す外光、および図５に矢印Ｌ２で示す、バックライト装置からの光を液晶パネル１００において光変調し、矢印Ｌ１０で示すように、表示光として出射する。従って、本形態の場合、ベース２１０としては、光透過性のものを用いることになる。
【００４５】
［実施の形態３］
実施の形態１では、液晶パネル１００と偏光板１４０、１５０との間にスペーサ２６０、２７０を配置したが、本形態では、以下に説明するように、スペーサ２６０、２７０に代えて、凹凸を有するシートによって、ニュートンリングの発生を防止する。
【００４６】
図６は、本発明の実施の形態３に係る電気光学装置の構成を示す断面図である。
【００４７】
図６において、本形態の電気光学装置１では、湾曲面２２０を備えたベース２１０、第１の偏光板１４０、液晶パネル１００、および液晶パネル１００より大面積の第２の偏光板１５０がこの順に重ねて配置されている。また、第１の偏光板１４０と液晶パネル１００との間に第１の凹凸を有するシート１６０が配置され、液晶パネル１００と第２の偏光板１５０との間に第２の凹凸を有するシート１７０が配置されている。
【００４８】
ここで、第２の偏光板１５０は、液晶パネル１００より外周側で両面テープなどの接着材２８０によりベースに固定されて、第１の偏光板１４０、液晶パネル１００、および凹凸を有するシート１６０、１７０を湾曲面２２０に倣って湾曲させた状態に拘束している。
【００４９】
このように構成した場合も、実施の形態１と同様、液晶パネル１００については、偏光板１４０、１５０などいった他の部材と接着固定しなくても湾曲させることができる。
【００５０】
また、本形態においては、第１の偏光板１４０と液晶パネル１００との間、および液晶パネル１００と第２の偏光板１５０との間の各々に凹凸を有するシート１６０、１７０が配置されているため、ニュートンリングの発生に起因する見栄えの低下を防止することができる。
【００５１】
なお、本形態では、第１の偏光板１４０と液晶パネル１００との間、および液晶パネル１００と第２の偏光板１５０との間の各々に凹凸を有するシート１６０、１７０を配置したが、必要に応じて、その一方の間のみに凹凸を有するシートを配置してもよい。
【００５２】
［実施の形態４］
液晶パネル１００を偏光板１４０、１５０などいった他の部材と接着固定せずに湾曲させるという観点からすれば、図７に示すように構成してもよい。
【００５３】
図７は、本発明の実施の形態４に係る電気光学装置の構成を示す断面図である。
【００５４】
図７において、本形態の電気光学装置１では、湾曲面２２０を備えたベース２１０、第１の偏光板１４０、液晶パネル１００、および液晶パネル１００より大面積の第２の偏光板１５０がこの順に重ねて配置されている。また、第２の偏光板１５０は、液晶パネル１００より外周側で両面テープなどの接着材２８０によりベースに固定されて、第１の偏光板１４０、液晶パネル１００を湾曲面２２０に倣って湾曲させた状態に拘束している。
【００５５】
［実施の形態５］
上記の実施形態では、凸曲面からなる湾曲面２２０を備えたベース２１０を用いたが、図８に示すように、凹曲面からなる湾曲面２３０を備えたベース２１０を用いてもよい。
【００５６】
図８は、本発明の実施の形態５に係る電気光学装置の構成を示す断面図である。
【００５７】
図８において、本形態の電気光学装置１では、凹曲面からなる湾曲面２３０を備えたベース２１０（第１の部材）と、第１の偏光板１４０と、第１のスペーサ２６０と、ＴＦＴアレイ基板１０および対向基板２０を備えた液晶パネル１００と、第２のスペーサ２７０と、ＴＦＴアレイ基板１０より大面積の第２の偏光板１５０（第２の部材／シート状光学部品）がこの順に重ねて配置されている。
【００５８】
ここで、第１の偏光板１４０は、ベース２１０の湾曲面２３０に沿って湾曲した状態に配置されている。液晶パネル１００（ＴＦＴアレイ基板１０および対向基板２０）は、その外周側と第１の偏光板１４０との間に第１のスペーサ２６０を挟んで湾曲した状態に配置されている。第２の偏光板１５０は、液晶パネル１００の外周側との間に第２のスペーサ２７０を挟んで湾曲した状態に配置され、かつ、液晶パネル１００より外周側でベース２１０に対して両面テープなどの接着材２８０で固定されている。それにより、第１の偏光板１４０、および液晶パネル１００は、湾曲した状態に拘束されている。
【００５９】
このように構成した場合も、湾曲した表示面を備えた電気光学装置１を構成するにあたって、液晶パネル１００については、偏光板１４０、１５０などいった他の部材と接着固定しなくても湾曲させることができる。それ故、液晶パネル１００を湾曲させる際、画像表示領域として利用される中央部分において、液晶パネル１００から偏光板１４０、１５０へ大きな応力が直接、伝わらず、かつ、偏光板１４０、１５０から液晶パネル１００へも大きな応力が直接、伝わらない。よって、液晶パネル１００と偏光板１４０、１５０との間に不要な隙間が発生しない。また、液晶パネル１００において、基板間隔の変動や基板の破損などといった不具合が発生せず、かつ、偏光板１４０、１５０の偏光特性が変動することもないなど、実施の形態１と同様な効果を奏する。
【００６０】
なお、本形態は、実施の形態１において、ベース２１０の湾曲面を凹曲面とした例であったが、実施の形態２〜４において、凹曲面からなる湾曲面２３０を備えたベース２１０を用いてもよい。
【００６１】
［その他の実施の形態］
上記形態では、第２の偏光板１５０を液晶パネル１００より外周側でベース２１０に対して固定するための接着材２８０として両面テープを例示したが、第２の偏光板１５０の上面を片面テープでベース２１０に固定した構造、あるいは第２の偏光板１５０の上面をクリップやフレームなどで機械的にベース２１０に固定した構造などを採用してもよい。
【００６２】
また、上記実施の形態では、図１（Ａ）、（Ｂ）に示す矢印Ａ１、Ａ２、および矢印Ｂ１、Ｂ２のうち、矢印Ｂ１で示す方向に撓ませた場合を説明したが、その他の方向に撓ませた場合にも本発明を適用できる。
【００６３】
また、本発明は、液晶パネルとしては、画素スイッチング素子としてＴＦＴを用いたアクティブマトリクス型の液晶パネルに限らず、画素スイッチング素子としてＴＦＤを用いたアクティブマトリクス型の液晶パネル、あるいはパッシブマトリクス型の液晶パネルを用いてもよい。
【００６４】
さらに、本発明は、液晶装置に限らず、図９に示す有機エレクトロルミネッセンスタイプの表示装置に適用してもよい。
【００６５】
図９は、電荷注入型の有機薄膜エレクトロルミネッセンス素子を用いたアクティブマトリクス型電気光学装置のブロック図である。
【００６６】
図９に示す電気光学装置１ｐは、有機半導体膜に駆動電流が流れることによって発光するＥＬ（エレクトロルミネッセンス）素子、またはＬＥＤ（発光ダイオード）素子などの発光素子をＴＦＴで駆動制御するアクティブマトリクス型の表示装置であり、このタイプの電気光学装置に用いられる発光素子はいずれも自己発光するため、バックライトを必要とせず、また、視野角依存性が少ないなどの利点がある。
【００６７】
ここに示す電気光学装置１ｐでは、ＴＦＴアレイ基板１０ｐ上に、複数の走査線１０３ｐと、走査線１０３ｐの延設方向に対して交差する方向に延設された複数のデータ線１０６ｐと、これらのデータ線１０６ｐに並列する複数の共通給電線２３ｐと、データ線１０６ｐと走査線１０３ｐとの交点に対応する画素領域１５ｐとが構成されている。データ線１０６ｐに対しては、シフトレジスタ、レベルシフタ、ビデオライン、アナログスイッチを備えるデータ側駆動回路１０１ｐが構成されている。走査線１０３ｐに対しては、シフトレジスタおよびレベルシフタを備える走査側駆動回路１０４ｐが構成されている。
【００６８】
また、画素領域１５ｐの各々には、走査線１０３ｐを介して走査信号がゲート電極に供給される第１のＴＦＴ３１ｐと、この第１のＴＦＴ３１ｐを介してデータ線１０６ｐから供給される画像信号を保持する保持容量３３ｐと、この保持容量３３ｐによって保持された画像信号がゲート電極に供給される第２のＴＦＴ３２ｐ（薄膜半導体素子）と、第２のＴＦＴ３２ｐを介して共通給電線２３ｐに電気的に接続したときに共通給電線２３ｐから駆動電流が流れ込む発光素子４０ｐとが構成されている。従って、保持容量３３ｐは、第１のＴＦＴ３１ｐを介してデータ線１０６ｐから供給される画像信号を保持するので、第１のＴＦＴ３１ｐがオフになっても、第２のＴＦＴ３２ｐのゲート電極３１ｐは画像信号に相当する電位に保持される。それ故、発光素子４０ｐには共通給電線２３ｐから駆動電流が流れ続けるので、発光素子４０ｐは発光し続け、画像を表示する。
【００６９】
このような電気光学装置１ｐについても、半導体プロセスを利用して、ＴＦＴアレイ基板１０ｐ上に発光素子４０ｐ、ＴＦＴ３１ｐやデータ線１０６ｐなどが形成されるため、ＴＦＴアレイ基板１０ｐとしてガラス基板などといった硬質基板が用いられる。このような場合も、基板を研磨などにより薄型化して湾曲させる際に本発明を適用すればよい。
【００７０】
［電子機器への適用］
本発明に係る電気光学装置を用いた電子機器の一例としては、図示を省略するが、携帯電話機やモバイルコンピュータなどといった携帯型電子機器の表示部として用いることができる他、街頭や店先での表示を行う大型表示装置などといった電子機器に用いることができる。
【産業上の利用可能性】
【００７１】
本発明では、第２の部材は、湾曲した状態の電気光学装置用基板の外周部分を第１の部材に向けて押し付けながら電気光学用基板よりも外周側で第１の部材に固定され、電気光学装置用基板を湾曲した状態に拘束する。このため、電気光学装置用基板については、偏光板などいった他の部材と接着固定しなくてよい。従って、電気光学装置用基板を湾曲させる際、画像表示領域として利用される中央部分において、電気光学装置基板から偏光板へ大きな応力が直接、伝わらず、かつ、偏光板から電気光学装置基板へも大きな応力が直接、伝わらない。それ故、電気光学装置用基板と偏光板との間に不要な隙間が発生せず、かつ、電気光学装置基板や偏光板の性能低下や破損などといった不具合が発生しない。よって、本発明に係る電気光学装置は、携帯電話機やモバイルコンピュータなどといった携帯型電子機器において新たなタイプの表示部として、あるいは大型表示装置などといった電子機器に用いることができる。
【図面の簡単な説明】
【００７２】
【図１】（Ａ）、（Ｂ）は、本発明の実施の形態１に係る電気光学装置の構成を対向基板の側から見た構成図、および断面構成図である。
【図２】図１に示す電気光学装置の画像表示領域においてマトリクス状に形成された複数の画素における各種素子、配線等の等価回路図である。
【図３】（Ａ）、（Ｂ）は、図１に示す電気光学装置の製造途中品を対向基板の側から見た平面図、およびその断面図である。
【図４】本発明の実施の形態１に係る電気光学装置の構成を示す断面図である。
【図５】本発明の実施の形態２に係る電気光学装置の構成を示す断面図である。
【図６】本発明の実施の形態３に係る電気光学装置の構成を示す断面図である。
【図７】本発明の実施の形態４に係る電気光学装置の構成を示す断面図である。
【図８】本発明の実施の形態５に係る電気光学装置の構成を示す断面図である。
【図９】電荷注入型の有機薄膜エレクトロルミネッセンス素子を用いたアクティブマトリクス型電気光学装置のブロック図である。
【符号の説明】
【００７３】
１  電気光学装置、１０  ＴＦＴアレイ基板、２０  対向基板、１００  液晶パネル、１００′  液晶パネルの製造途中品、１４０  第１の偏光板、１５０  第２の偏光板（第２の部材／シート状光学部品）、１６０  第１の凹凸を有するシートシート、１７０  第２の凹凸を有するシートシート、２１０  ベース（第１の部材）、２２０、２３０  湾曲面、２６０  第１のスペーサ、２７０  第２のスペーサ、２８０  接着材
【図１】
2005134460.tif 000003
【図２】
2005134460.tif 000004
【図３】
2005134460.tif 000005
【図４】
2005134460.tif 000006
【図５】
2005134460.tif 000007
【図６】
2005134460.tif 000008
【図７】
2005134460.tif 000009
【図８】
2005134460.tif 000010
【図９】
2005134460.tif 000011